(57)【要約】【課題】  輝度及びコントラストの再設定の容易さの点で有利な技術を提供すること。【解決手段】  本発明に係る放射線撮影装置は、放射線画像の画像調整値を変更する指標を、画面の画像表示領域に表示する指標表示手段と、前記画像表示領域の画像サイズに基づいて、前記画像調整値の変更の基準となる変更基準値を算出する算出手段と、前記画像表示領域において指定された指定点を検出する指定点検出手段と、前記指定点と前記変更基準値に基づいて、前記画像調整値を変更する画像処理手段と、を備える。【選択図】  図１Ｂ
2018019875.tif 000002
【特許請求の範囲】
【請求項１】
放射線画像の画像調整値を変更する指標を、画面の画像表示領域に表示する指標表示手段と、
前記画像表示領域の画像サイズに基づいて、前記画像調整値の変更の基準となる変更基準値を算出する算出手段と、
前記画像表示領域において指定された指定点を検出する指定点検出手段と、
前記指定点と前記変更基準値に基づいて、前記画像調整値を変更する画像処理手段と、
を備えることを特徴とする放射線撮影装置。
【請求項２】
前記画像処理手段は、所定の基準点と前記指定点との距離を算出し、前記変更基準量に対する前記距離に基づいて、前記画像調整値を変更することを特徴とする請求項１に記載の放射線撮影装置。
【請求項３】
前記算出手段は、前記画像サイズを前記画像調整値の範囲で除算した値から所定の範囲内を、前記変更基準値として算出することを特徴とする請求項１又は２に記載の放射線撮影装置。
【請求項４】
前記画像調整値は、輝度、コントラスト、色相、明度、及び彩度の少なくとも１つであることを特徴とする請求項１乃至３の何れか１項に記載の放射線撮影装置。
【請求項５】
前記指標表示手段は、前記放射線画像に前記指標を重畳させて表示することを特徴とする請求項１乃至４の何れか１項に記載の放射線撮影装置。
【請求項６】
前記基準点は、前記指定点が指定される前に前記画像表示領域において指定された指定点、前記画像表示領域の中心点、左上端、右上端、左下端、及び右下端の少なくとも１つであることを特徴とする請求項１乃至５の何れか１項に記載の放射線撮影装置。
【請求項７】
前記指標表示手段は、前記画像調整値の所定の基準値からの絶対値表記及び前記画像調整値の現在値からの相対値表記の少なくとも一方で前記指標を表示することを特徴とする請求項１乃至６の何れか１項に記載の放射線撮影装置。
【請求項８】
前記算出手段は、
前記画像表示領域の画像サイズ及び前記画像調整値の範囲に基づいて、第１の変更基準値を算出し、
前記放射線画像の撮影部位情報に基づいて、前記第１の変更基準値を第２の変更基準値に補正することを特徴とする請求項１乃至７の何れか１項に記載の放射線撮影装置。
【請求項９】
前記画像処理手段は、前記第１の変更基準値に対する前記距離に基づいて、第１の放射線画像の前記画像調整値を変更し、
前記算出手段は、前記第１の放射線画像と同一被検体及び同一部位を撮影した第２の放射線画像において、前記第１の変更基準値を前記第２の変更基準値に補正することを特徴とする請求項８に記載の放射線撮影装置。
【請求項１０】
前記算出手段は、前記第２の変更基準値が前記第１の変更基準値より小さくなるように、前記第１の変更基準値を前記第２の変更基準値に補正することを特徴とする請求項８に記載の放射線撮影装置。
【請求項１１】
前記算出手段は、前記指標において、前記第１の放射線画像の前記画像調整値の増加方向又は減少方向と同一方向で、前記第１の変更基準値を前記第２の変更基準値に補正することを特徴とする請求項８又は９に記載の放射線撮影装置。
【請求項１２】
放射線を発生する放射線発生手段と、
前記放射線を検出し、放射線画像の画像データを出力する放射線検出手段と、
前記放射線画像の画像調整値を変更する指標を、画面の画像表示領域に表示する指標表示手段と、
前記画像表示領域の画像サイズに基づいて、前記画像調整値の変更の基準となる変更基準値を算出する算出手段と、
前記画像表示領域において指定された指定点を検出する指定点検出手段と、
前記指定点と前記変更基準値に基づいて、前記画像調整値を変更する画像処理手段と、
を備えることを特徴とする放射線撮影システム。
【請求項１３】
放射線画像の画像調整値を変更する指標を、画面の画像表示領域に表示する工程と、
前記画像表示領域の画像サイズに基づいて、前記画像調整値の変更の基準となる変更基準値を算出する工程と、
前記画像表示領域において指定された指定点を検出する工程と、
前記指定点と前記変更基準値に基づいて、前記画像調整値を変更する工程と、
を備えることを特徴とする放射線撮影方法。
【請求項１４】
コンピュータを請求項１乃至１１の何れか１項に記載の放射線撮影装置の各手段として機能させるためのプログラム。
【発明の詳細な説明】
【技術分野】
【０００１】
本発明は、画像処理する放射線撮影装置、放射線撮影システム、放射線撮影方法、及びプログラムに関する。
【背景技術】
【０００２】
近年、医療分野においてデジタル化が進み、放射線画像は、デジタル画像として扱われている。デジタル画像の場合、取得される画像に対して、階調変換などの画像処理を施すことで、画像をモニタ画面などで観察しやすい濃度値に変換する。ただし、モニタ画面に表示された画像の濃度値が不適切な場合は、操作者が輝度やコントラストを変更することで画像の濃度値を変更することが一般的である。
【０００３】
また、放射線撮影装置の入力装置として、マウスやキーボード以外にタッチパネル式ディスプレイを用いられることがある。特に、放射線撮影室まで移動が困難である患者を、病室や集中治療室で放射線撮影する回診用の放射線撮影装置では、マウスやキーボードを配置するスペースの制約上、タッチパネル式ディスプレイを入力装置として使用するのが一般的である。
【０００４】
タッチパネル式ディスプレイを入力装置とした放射線撮影装置は、特許文献１に開示されている。これは、タッチ操作によって、次画像又は前画像の切り替え表示、短計領域の拡大表示、及び輝度変更表示などの各種の表示形態の画像に切り替えて表示するものである。特に、輝度変更表示においては、画像内のドラッグタッチによる該ドラッグ軌跡に対応して表示階調を変更することが開示されている。
【先行技術文献】
【特許文献】
【０００５】
【特許文献１】特開２００７−０２９３４１号公報
【発明の概要】
【発明が解決しようとする課題】
【０００６】
しかしながら、従来の方法では、タッチパネル式ディスプレイのサイズにより画像表示サイズが異なる場合に、所望の輝度に変更を実施するための画像内のドラッグタッチの移動量がディスプレイサイズごとに異なっていた。そのため、画像調整値を変更するための操作ミスが起こりやすい。
【課題を解決するための手段】
【０００７】
本発明に係る放射線撮影装置は、放射線画像の画像調整値を変更する指標を、画面の画像表示領域に表示する指標表示手段と、前記画像表示領域の画像サイズに基づいて、前記画像調整値の変更の基準となる変更基準値を算出する算出手段と、前記画像表示領域において指定された指定点を検出する指定点検出手段と、前記指定点と前記変更基準値に基づいて、前記画像調整値を変更する画像処理手段と、を備える。
【発明の効果】
【０００８】
本発明によれば、画像調整値を変更するための操作ミスを防止することができる。
【図面の簡単な説明】
【０００９】
【図１Ａ】第１の実施形態における放射線撮影システムの概略ブロック図である。
【図１Ｂ】第１の実施形態における制御部の機能を示すブロック図である。
【図２】第１の実施形態の変更基準値の指標を示す図である。
【図３】第１の実施形態における制御部による制御手順を示すフローチャートである。
【図４】第２の実施形態における制御部の機能を示すブロック図である。
【図５】第２の実施形態における制御部による制御手順を示すフローチャートである。
【図６】第２の実施形態の変更基準値の指標を示す図である。
【発明を実施するための形態】
【００１０】
以下、図面を参照して本発明の実施形態について詳細に説明する。なお、本発明は以下の実施形態に限定されるものではない。また、以下の実施形態の中で説明されている特徴の組み合わせの全てが、本発明の課題解決のために必須のものであるとは限らない。なお、以下に示す実施形態では、放射線はＸ線に限られるものではなく、α線、β線、γ線、粒子線、及び宇宙線なども、放射線に含まれるものとする。
【００１１】
（第１の実施形態）
図１Ａを用いて放射線撮影システムの例を説明する。図１Ａは、本実施形態における放射線撮影システムの概略ブロック図である。放射線撮影システムは、撮影制御装置１００と、放射線制御装置１０６と、放射線を発生する放射線源（放射線発生部）１０７と、放射線を検出し、放射線画像の画像データを出力する放射線検出部１０８とを含む。
【００１２】
放射線検出部１０８は、放射線源１０７から曝射されて被検体Ｈの所定の部位を透過した放射線を検出し、検出した放射線に基づいて放射線画像を取得する。放射線検出部１０８は、例えば、フラットパネル型のＸ線検出器（Ｆｌａｔ  Ｐａｎｅｌ  Ｄｅｔｅｃｔｏｒ：ＦＰＤ）である。放射線制御装置１０６は、放射線源１０７による放射線の曝射の制御を行う。
【００１３】
また、放射線撮影システムは、操作部１０４及び表示部１０５を含み得る。操作部１０４は、操作者（撮影技師や医師）からの入力に応じて、放射線撮影システムにおける処理の操作を行うための操作情報を撮影制御装置１００へ供給する。表示部１０５は、放射線検出部１０８によって取得された放射線画像などの画像を操作者へ表示する出力手段であり、例えば、液晶ディスプレイなどで実現される。
【００１４】
また、表示部１０５は、放射線撮影システムのシーケンスの各タイミングを示す各種の図形を操作者へ向けて表示することができる。すなわち、表示部１０５は、放射線撮影のコントロールソフトウェアのグラフィカルユーザインタフェース（ＧＵＩ）を表示し得る。
【００１５】
ここで、操作部１０４は、表示部１０５に表示された各種図形及び画像領域上を、マウスやキーボードなどの入力機器の操作によって画像操作を行うことにより、操作情報を撮影制御装置１００へ提供する。なお、操作部１０４及び表示部１０５は、それらが一体となったタッチパネル式ディスプレイなどで実現されてもよい。
【００１６】
撮影制御装置１００は、入出力部１０１と、画像処理部１０２と、制御部１０３とを含み、放射線撮影の制御を行うとともに、放射線検出部１０８により取得された放射線画像を処理する画像処理装置として機能する。
【００１７】
入出力部１０１は、放射線検出部１０８からの放射線画像入力や、放射線制御装置１０６への制御信号の出力を行う。画像処理部１０２は、放射線検出部１０８からの放射線画像に対して、階調変換及びダイナミックレンジ圧縮処理のうち少なくともいずれかを含む画像処理を行うものである。制御部１０３は、操作部１０４からの操作情報に基づいて、各種制御のための制御信号を、入出力部１０１を介して、放射線検出部１０８及び放射線制御装置１０６へ出力する。なお、放射線撮影システムは、検査室に固定配置されてもよいし、回診車として移動可能なシステムとして実現されてもよい。
【００１８】
図１Ｂは、制御部１０３の機能ブロック図を示す。制御部１０３は、入力検出部２０１と、記憶部２０２と、演算部２０３と、表示制御部２０４と、撮影制御部２０５と、変更量算出部（算出部）２０６とを含み得る。入力検出部２０１は、操作部１０４から入力された操作情報を演算部２０３に供給する。特に、画像領域上で入力された指定点情報を検出し得る指定点検出部２０７を含む。
【００１９】
記憶部２０２は、画像処理部１０２で画像処理された放射線画像の画像情報を記憶する画像情報記憶領域２１０を含む。表示制御部２０４は、画像処理部１０２で画像処理された放射線画像を表示部１０５のディスプレイサイズに適した表示サイズで表示する画像表示制御部２０８を含む。また、表示制御部２０４は、放射線画像の画像調整値を変更する指標を、画面の画像表示領域に表示する指標表示制御部（指標表示部）２０９を含む。ここで、画像調整値は、輝度、コントラスト、色相、明度、及び彩度の少なくとも１つである。本実施形態では、画像調整値として、輝度及びコントラストを用いる。
【００２０】
演算部２０３が各部の制御を統括する。撮影制御部２０５は、演算部２０３からの指示に応じて、入出力部１０１を介して放射線撮影を指示する。そして、放射線検出部１０８は、放射線画像撮影により取得された放射線画像を入出力部１０１に出力する。演算部２０３は、取得された放射線画像に対して、画像処理を行うよう画像処理部１０２に指示することができる。
【００２１】
具体的には、放射線画像に対して特徴量解析を実施し、撮影部位に適した階調変換やダイナミックレンジ圧縮処理を行い、適切な輝度やコントラストの画像を生成する。そして、演算部２０３は、画像処理部１０２により画像処理された放射線画像を表示部１０５に表示させるように画像表示制御部２０８に指示する。
【００２２】
演算部２０３は、画像表示制御部２０８の制御により表示部１０５のディスプレイサイズに応じて表示されている放射線画像の領域情報と、画像情報記憶領域２１０により保持されている画像情報の一部である輝度及びコントラストの設定範囲値とを取得する。そして、演算部２０３は、それらの値を基に、輝度及びコントラストの変更基準値を算出するように、変更量算出部２０６に指示する。変更量算出部２０６は、画像表示領域の画像サイズに基づいて、画像調整値の変更の基準となる変更基準値を算出する。また、変更量算出部２０６は、画像調整値の範囲に基づいて、画像調整値の変更の基準となる変更基準値を算出する。
【００２３】
変更量算出部２０６は、画像表示領域の画像サイズを画像調整値の範囲で除算した値から所定の範囲内を、変更基準値として算出する。
【００２４】
例えば、表示部１０５のディスプレイサイズに基づいて表示している放射線画像の縦方向の長さを、輝度の設定範囲数の絶対値で除算することで、輝度の変更基準値が算出される。また、放射線画像の横方向の長さを、コントラストの設定範囲数の絶対値で除算することで、コントラストの変更基準値が算出される。
【００２５】
ディスプレイサイズ（画像領域）の縦が１２００ピクセルであり、ディスプレイサイズの横が１６００ピクセルであって、放射線画像領域が縦方向の長さが１２００ピクセルである場合を想定する。輝度の設定範囲が−９〜＋１０であるとすると、絶対値の設定範囲数の絶対値は２０である。
【００２６】
したがって、１２００／２０＝６０により、輝度の変更基準値は６０ピクセルであると算出される。この場合、放射線画像上の２点間の上下方向の長さが６０ピクセルである場合に、輝度が１変化する。例えば、カーソルの上下方向の移動距離が６０ピクセルである場合に、輝度が１変化する。なお、輝度の変更基準値は、６０ピクセルから所定の範囲内（例えば、６０±５ピクセル）であってもよい。
【００２７】
操作部１０４の入力を検出する入力検出部２０１は、指定点検出部２０７を含む。指定点検出部２０７は、操作部１０４を介して、入力された操作により画像領域上で指定点が指定されたことを検出する。例えば、指定点検出部２０７は、画像領域上でマウスをクリック操作した場合に、画像領域上で指定点が指定されたと検出する。
【００２８】
指定点検出部２０７は、画像領域上で、指定点を含む２点を検出する。指定点検出部２０７は、所定の基準点（１点目）及び画像表示領域において指定された指定点（２点目）を検出する。例えば、指定点検出部２０７は、画像領域上でマウスをドラッグ操作する場合に、マウスをボタンダウンした箇所（指定点）を１点目として検出し、マウスをボタンアップした箇所（指定点）を２点目として検出する。
【００２９】
それ以外に、画像領域上で２点を検出する例として、指定点検出部２０７は、画像領域の中心点を１点目として検出し、画像領域上で１点が指定された箇所（指定点）を２点目として検出してもよい。指定点検出部２０７は、１点目を画像領域上の中心点ではなく、画像領域の左上端、右上端、左下端、及び右下端の何れかを１点目として検出してもよいし、任意の箇所を１点目として検出してもよい。
【００３０】
このように、基準点は、指定点（２点目）が指定される前に画像表示領域において指定された指定点（１点目）、画像表示領域の中心点、左上端、右上端、左下端、及び右下端の少なくとも１つである。
【００３１】
表示部１０５の表示を制御する表示制御部２０４は、指標表示制御部２０９を含む。指標表示制御部２０９は、演算部２０３からの指示に応じて、変更量算出部２０６により算出された変更基準値に基づく指標を、放射線画像領域上に表示する。
【００３２】
図２は、放射線画像領域上に表示された輝度及びコントラストの変更基準値の指標を示す図である。図２に示される画面３０１は、放射線撮影に係るグラフィカルユーザーインタフェース（ＧＵＩ）を構成する。
【００３３】
画面３０１は、放射線撮影画像が表示される画像表示領域３０２と、操作スイッチ類が表示される操作領域３０３とを含む。操作者が放射線撮影を指示すると、画像表示領域３０２に放射線撮影画像が表示される。また、操作部１０４を介して、マウスによる操作を示すマウスカーソル３０４が表示される。
【００３４】
例えば、操作部１０４を介して、画像上でマウスをドラッグ操作する場合に、マウスをボタンダウンしたタイミングで、ボタンダウンした箇所を１点目として、放射線画像上に指標３０５が表示される（図２（ａ））。
【００３５】
図２（ａ）に示すように、指標３０５は、ボタンダウンした１点目の位置を中心に、縦軸に輝度の変化基準値の指標を表示し、横軸にコントラストの変更基準値の指標を表示する。指標３０５では、縦軸の上方向が輝度を増加させる方向であり、縦軸の下方向が輝度を減少させる方向である。また、指標３０５では、横軸の右方向がコントラストを増加させる方向であり、横軸の左方向がコントラストを減少させる方向である。
【００３６】
変化基準値を示す目盛の表示は、輝度及びコントラストの現在値からの相対値表記でもよいし、所定の基準値に対する絶対値表記でもよい。指標表示制御部２０９は、前記画像調整値の所定の基準値からの絶対値表記及び前記画像調整値の現在値からの相対値表記の少なくとも一方で前記指標を表示する。
【００３７】
ボタンアップしたタイミングで、指標３０５が非表示になってもよい。また、画像領域上の特定の箇所（中心点など）を１点目とする場合は、輝度及びコントラストの調整モードが開始されたタイミングで、指標３０５を表示し、２点目が指定されたタイミングで指標を非表示にしてもよい。この他、指標３０５の表示から所定の時間が経過した後に、指標３０５が非表示になってもよい。
【００３８】
次に、図２（ｂ）に示すように、演算部２０３は、指定点検出部２０７により検出された２点に基づいて、画像領域上の２点間の距離を算出する。そして、演算部２０３は、その２点間の距離から変更量算出部２０６により算出された変更基準値を基準として、輝度及びコントラストを変更するように、画像処理部１０２に指示する。画像処理部１０２は、指定点と変更基準値に基づいて、画像調整値（輝度及びコントラストなど）を変更する。画像処理部１０２は、所定の基準点と指定点との距離を算出し、変更基準値に対する距離に基づいて、画像調整値（輝度及びコントラストなど）を変更する。
【００３９】
図３は、制御部１０３による制御手順を示すフローチャートである。操作部１０４から放射線撮影の実行が指示されると、制御部１０３は、放射線制御装置１０６に放射線を照射するように指示する。これにより、放射線撮影が実施される（ステップＳ１０２）。
【００４０】
被検体Ｈを透過した放射線は、放射線検出部１０８で放射線画像として取得される。制御部１０３は、放射線検出部１０８で取得された放射線画像を、入出力部１０１を介して取得する。演算部２０３は、取得した放射線画像に対し、画像処理部１０２で画像処理を実施して、表示部１０５に表示するように、表示制御部２０４に指示する（ステップＳ１０３）。
【００４１】
また、演算部２０３は、変更量算出部２０６に放射線画像上の２点間の距離に対応する輝度及びコントラストの変更基準値を算出するように指示する（ステップＳ１０４）。演算部２０３は、操作部１０４からの操作を介して、放射線画像の輝度及びコントラストの変更や画像の表示方向などの画像調整が可能にするように指示する（ステップＳ１０５）。操作部１０４からの入力操作待ち状態になる（ステップＳ１０６）。
【００４２】
次に、指定点検出部２０７は、操作部１０４から画像領域上が指定されたことを検知する（ステップＳ１０７）。画像領域上の指定は、マウスによる１点目の指定操作であってもよいし、輝度及びコントラストの調整モードを開始するための指定操作であってもよい。
【００４３】
画像領域上の指定が検知されなかった場合は（ステップＳ１０７のＮｏ）、放射線画像の画像調整を継続するかどうかを判断する（ステップＳ１１３）。一方、画像領域上で指定を検知された場合は（ステップＳ１０７のＹｅｓ）、表示制御部２０４は、指標表示制御部２０９により、放射線画像上に指標３０５を表示させる（ステップＳ１０８）。
【００４４】
例えば、操作部１０４を介して、マウスのボタンダウンを実施することで、画像領域上で指定が検知された場合（ステップＳ１０７のＹｅｓ）、放射線画像上に指標３０５を表示させる（ステップＳ１０８）。この場合、ボタンダウンしたマウスカーソル３０４の位置を中心に、輝度及びコントラストの指標３０５が放射線画像上に表示される（図２（ａ））。指標表示制御部（指標表示部）２０９は、放射線画像に指標３０５を重畳させて表示する。
【００４５】
次に、指定点検出部２０７は、操作部１０４から画像領域上で２点目が指定されたことを検知する（ステップＳ１０９）。指定点検出部２０７は、画像表示領域において指定された指定点（２点目）を検出する。画像領域上で２点目の指定が検知されなかった場合は（ステップＳ１０９のＮｏ）、指標表示制御部２０９により、画像領域上から指標３０５を非表示にする（ステップＳ１１２）。例えば、指標３０５は、マウスのボタンアップに伴い、非表示にされる。
【００４６】
図２（ｂ）に示すように、画像領域上で２点目の指定を検知した場合は（ステップＳ１０９のＹｅｓ）、演算部２０３は、指定点検出部２０７により検出された１点目と２点目の距離を取得する。
【００４７】
また、演算部２０３は、変更量算出部２０６で算出された輝度及びコントラストの変更基準値を取得する。そして、演算部２０３は、それらの値に基づいて、輝度及びコントラストの少なくとも１つを変更するように、画像処理部１０２に画像処理を指示する（ステップＳ１１０）。
【００４８】
次に、演算部２０３は、変更量算出部２０６で、変更基準値を再度算出するように指示する（ステップＳ１１１）。また、指標表示制御部２０９により、画像領域上から指標３０５を非表示にする（ステップＳ１１２）。そして、放射線画像の画像調整を継続するかどうかを判断する（ステップＳ１１３）。画像調整を継続するかどうかの判断は、例えば、操作部１０４を介しての検査終了操作や次の放射線撮影などにより、表示部１０５から対象の放射線画像が非表示になった場合に、画像調整を継続しないと判断すればよい。
【００４９】
画像処理を継続しない場合は（ステップＳ１１３のＮｏ）、画像処理調整を終了する（ステップＳ１１４）。画像処理を継続する場合は（ステップＳ１１３のＹｅｓ）、画像処理調整を継続するため、再度入力操作待ち状態になる（ステップＳ１０６）。
【００５０】
本実施形態によれば、画像表示領域の画像サイズに応じた変更基準値を算出することにより、画像調整値の指標を表示し、画像表示領域内の２点間距離に基づいて、画像調整値を変更することで、画像調整値を変更するための操作ミスを防止することができる。
【００５１】
（第２の実施形態）
第２の実施形態を説明する。本実施形態における放射線撮影システム全体の構成は、図１Ａに示した第１実施形態と同様である。図４に、本実施形態における制御部１０３の機能ブロック図を示す。図１Ｂと比較して同じ構成要素には同じ符号を付し、それらの詳細な説明は省略する。
【００５２】
変更量算出部（算出部）２０６は、画像表示領域の画像サイズ及び画像調整値の範囲に基づいて、第１の変更基準値を算出する。変更量算出部（算出部）２０６は、放射線画像の撮影部位情報に基づいて、第１の変更基準値を第２の変更基準値に補正する。
【００５３】
また、本実施形態の制御部１０３では、記憶部２０２が、撮影部位記憶領域２１１及び変更量記憶領域２１２を備える。撮影部位記憶領域２１１には、同一検査（同一被検体の同一部位の検査）のうち、輝度及びコントラストの変更を実施した撮影部位の情報が保持される。例えば、同一被検体の胸部、腹部、頚椎、及び腰椎などの部位単位で、撮影部位の情報が保持される。また、変更量記憶領域２１２には、同一検査のうち、撮影部位ごとの輝度及びコントラストの変更量及び変更基準値が保持される。
【００５４】
図５は、本実施形態の制御部１０３による操作手順を示すフローチャートである。操作部１０４から放射線撮影の実行が指示されると、制御部１０３は、放射線制御装置１０６に放射線を照射するように指示する。これにより、放射線撮影が実施される（ステップＳ２０２）。
【００５５】
被検体Ｈを透過した放射線は、放射線検出部１０８で放射線画像として取得される。制御部１０３は、放射線検出部１０８で取得されて放射線画像を、入出力部１０１を介して取得する。演算部２０３は、取得した放射線画像に対し、画像処理部１０２で画像処理を実施して、表示部１０５に表示するように、表示制御部２０４に指示する（ステップＳ２０３）。
【００５６】
また、演算部２０３は、変更量算出部２０６に放射線画像上の２点間の距離に対応する輝度及びコントラストの変更基準値（第１の変更基準値）を算出するように指示する（ステップＳ２０４）。具体的には、表示部１０５に表示している放射線画像の縦方向の長さを輝度の設定範囲数の絶対値で除算することで、輝度の変更基準値を算出する。また、放射線画像の横方向の長さをコントラストの設定範囲数の絶対値で除算することで、コントラストの変更基準値を算出する。
【００５７】
例えば、画像領域の縦方向の長さが１２００ピクセルであって、輝度の設定範囲が−９〜＋１０の場合、輝度の設定範囲数の絶対値は２０となり、１２００／２０＝６０により、輝度の変更基準値は６０ピクセルであると算出される。この場合、放射線画像上の２点間の上下方向の長さが６０ピクセルである場合に、輝度が１変化する。例えば、カーソルの上下方向の移動距離が６０ピクセルである場合に、輝度が１変化する。
【００５８】
次に、演算部２０３は、記憶部２０２に含まれる撮影部位記憶領域２１１で保持している同一検査内で輝度及びコントラストの変更を既に実施しているかどうかを判断する（ステップＳ２０５）。６０ピクセル（第１の変更基準値）に対する２点間距離に基づいて、放射線画像の画像調整値が既に変更されているかどうかが判断される。
【００５９】
同一の放射線画像において、輝度及びコントラストの変更を既に実施しているかどうかが判断されてもよい。また、同一被検体の同一部位を複数撮影した複数の放射線画像において、少なくとも１つの放射線画像の輝度及びコントラストの変更を既に実施しているかどうかが判断されてもよい。この場合、演算部２０３は、複数の放射線画像のうち、表示部１０５で表示されている放射線画像が、輝度及びコントラストの変更を既に実施している放射線画像と撮影部位が一致しているかどうかを、撮影部位情報から判断する。
【００６０】
同一検査内の同一部位の放射線画像に対し、輝度及びコントラストの何れの変更も未だ実施していない場合は（ステップＳ２０５のＮｏ）、演算部２０３は、操作部１０４からの操作を介して、各種画像調整を可能にするように指示する（ステップＳ２０７）。
【００６１】
一方、検査内の同一部位の放射線画像に対し、輝度及びコントラストの何れかの変更を既に実施している場合は（ステップＳ２０５のＹｅｓ）、演算部２０３は、変更基準値を補正するように指示する。
【００６２】
補正方法としては、変更量記憶領域２１２で保持されている撮影部位ごとの輝度及びコントラストの変更量を基に、ステップＳ２０４で算出された変更基準値に対して補正を実施する（ステップＳ２０６）。
【００６３】
例えば、ステップＳ２０４で算出された輝度の変更基準値が６０ピクセルであるとすると、放射線画像上の２点間の上下方向の長さが６０ピクセルである場合、輝度が１変化する。このとき、既に輝度が変更されており、変更量記憶領域２１２に保持されている同一検査内の同一部位の輝度の変更量が＋５であった場合、今回の画像調整でも輝度を正の方向に変更することが予測される。
【００６４】
そのため、輝度変更の正方向に対して、より少ない２点間距離で輝度を変更できるように、変更基準値を６０ピクセル（第１の変更基準値）から３０ピクセル（第２の変更基準値）に補正する。このように、変更量算出部２０６で算出された最初の変更基準値の半分である３０ピクセルで、輝度が１変化するように、変更基準値の補正を実施する。また、他の補正方法としては、輝度の正方向だけではなく、正負の何れの変更基準値を小さくするような補正を実施してもよい。
【００６５】
次に、演算部２０３にて、操作部１０４からの操作を介して、放射線画像に対する各種画像調整が可能にするように指示する（ステップＳ２０７）。そして、操作部１０４からの入力操作待ち状態になる（ステップＳ２０８）。
【００６６】
指定点検出部２０７は、操作部１０４から画像領域上が指定されたことを検知する（ステップＳ２０９）。画像領域上の指定は、マウスによる１点目の指定操作であってもよいし、輝度及びコントラストの調整モードを開始するための指定操作であってもよい。
【００６７】
画像領域上の指定が検知されなかった場合は（ステップＳ２０９のＮｏ），放射線画像の画像調整を継続するかどうかを判断する（ステップＳ２１６）。一方、画像領域上で指定が検知された場合は（ステップＳ２０９のＹｅｓ）、表示制御部２０４は、指標表示制御部２０９により、放射線画像上に指標３０５を表示する（ステップＳ２１０）。
【００６８】
例えば、操作部１０４を介して、マウスのボタンダウンを実施することで、画像領域上で指定が検知された場合（ステップＳ２０９のＹｅｓ）、放射線画像上に指標３０５を表示させる（ステップＳ２１０）。この場合、ボタンダウンしたマウスカーソル３０４の位置を中心に、輝度及びコントラストの指標３０５が放射線画像上に表示される。
【００６９】
次に、指定点検出部２０７は、操作部１０４から画像領域上で２点目が指定されたことを検知する（ステップＳ２１１）。画像領域上で２点目の指定が検知されなかった場合は（ステップＳ２１１のＮｏ）、指標表示制御部２０９により、画像領域上から指標３０５を非表示にする（ステップＳ２１５）。例えば、指標３０５は、マウスのボタンアップに伴い、非表示にされる。
【００７０】
画像領域上で２点目の指定が検知された場合は（ステップＳ２１１のＹｅｓ）、演算部２０３は、指定点検出部２０７により検出された１点目と２点目の距離を取得する。そして、取得された２点間距離と、変更量算出部２０６で算出された輝度及びコントラストの変更基準値に基づいて、輝度及びコントラストの少なくとも１つを変更するように、画像処理部１０２に画像処理を指示する（ステップＳ２１２）。
【００７１】
また、演算部２０３は、記憶部２０２の撮影部位記憶領域２１１及び変更量記憶領域２１２に、変更された撮影画像の撮影部位情報、変更量、及び変更基準値を保持するように指示する（ステップＳ２１３）。
【００７２】
次に、演算部２０３は、変更量算出部２０６で、変更基準値を再度算出するように指示する（ステップＳ２１４）。また、指標表示制御部２０９により、画像領域上から指標３０５を非表示にする（ステップＳ２１５）。そして、放射線画像の画像調整を継続するかどうかを判断する（ステップＳ２１６）。画像調整を継続するかどうかの判断は、例えば、操作部１０４を介しての検査終了操作や次の放射線撮影などにより、表示部１０５から対象の放射線画像が非表示になった場合に、画像調整を継続しないと判断すればよい。
【００７３】
画像処理を継続しない場合は（ステップＳ２１６のＮｏ）、画像処理調整を終了する（ステップＳ２１７）。画像処理を継続する場合は（ステップＳ２１６のＹｅｓ）、画像処理調整を継続するため、再度入力操作待ち状態になる（ステップＳ２０８）。
【００７４】
図６は、第２の実施形態の動作フローによる表示部１０５の表示画面の一例を示す図である。図６に示される画面３０１は、放射線撮影に係るグラフィカルユーザーインタフェース（ＧＵＩ）を構成する。
【００７５】
画面３０１は、放射線撮影画像が表示される画像表示領域３０２と、操作スイッチ類が表示される操作領域３０３とを含む。操作者が放射線撮影を指示すると、画像表示領域３０２に放射線撮影画像が表示される。また、操作部１０４を介して、マウスでの操作を表示すマウスカーソル３０４が表示される。
【００７６】
同一検査内で同一部位の放射線画像に対し、輝度及びコントラストの何れの変更も未だ実施していない場合は（ステップＳ２０５のＮｏ）、変更基準値の補正は実施されない。そのため、画像領域上で指定を検知した場合（ステップＳ２０９のＹｅｓ）、図６（ａ）のように、マウスカーソル３０４の位置を中心に、ステップＳ２０４で変更量算出部２０６により算出された変更基準値に基づいて、指標３０５が表示される。その後、指標３０５は、マウスのボタンアップに伴い非表示になる（ステップＳ２１５）。
【００７７】
一方、同一検査内で同一部位の放射線画像（第１の放射線画像）に対し、輝度及びコントラストの何れかの変更を既に実施している場合は（ステップＳ２０５のＹｅｓ）、ステップＳ２０６で変更基準値の補正が実施される。つまり、画像処理部１０２が、６０ピクセル（第１の変更基準値）に対する２点間の距離に基づいて、第１の放射線画像（図６（ａ））の画像調整値を変更した場合、ステップＳ２０６で変更基準値の補正が実施される。
【００７８】
ステップＳ２０６では、変更量算出部２０６は、第１の放射線画像（図６（ａ））と同一被検体及び同一部位を撮影した第２の放射線画像（図６（ｂ））において、６０ピクセル（第１の変更基準値）を３０ピクセル（第２の変更基準値）に補正する。第１の放射線画像と第２の放射線画像は、同一の放射線画像であってもよいし、同一被検体の同一部位を複数撮影した、異なる放射線画像であってもよい。
【００７９】
画像領域上で指定を検知した場合（ステップＳ２０９のＹｅｓ）、図６（ｂ）のように、変更量算出部２０６は、第２の変更基準値が第１の変更基準値より小さくなるように、第１の変更基準値を第２の変更基準値に補正する。また、変更量算出部２０６は、指標３０５において、第１の放射線画像の画像調整値の増加方向又は減少方向と同一方向で、第２の変更基準値が第１の変更基準値より小さくなるように、第１の変更基準値を第２の変更基準値に補正する。
【００８０】
図６（ｂ）では、マウスカーソル３０４の位置を中心に、ステップＳ２０６で補正された変更基準値に基づいて、指標３０５が表示される。例えば、指標３０５は、上述したように、輝度に関する指標３０５の正の方向（画像調整値の増加方向）において、６０ピクセルから３０ピクセルに変更基準値が補正され、補正前に比べて、短い２点間距離で輝度変更が実施できる。その後、指標３０５は、マウスのボタンアップに伴い非表示になる（ステップＳ２１５）。
【００８１】
本実施形態によれば、第１の放射線画像で既に画像調整値を変更した場合に、第１の変更基準値を補正した第２の変更基準値に基づいて、第２の放射線画像の画像調整値の指標を表示することで、第２の放射線画像の画像調整値の変更を容易にすることができる。
【００８２】
（他の実施形態）
以上、本発明にかかる実施形態について説明したが、本発明はこれらに限定されるものではなく、請求項に記載された範囲内において変更・変形することが可能である。  
【００８３】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８４】
１００  撮影制御装置
１０１  入出力部
１０２  画像処理部
１０３  制御部
１０４  操作部
１０５  表示部
１０６  放射線制御装置
１０７  放射線源
１０８  放射線検出部
２０１  入力検出部
２０２  記憶部
２０３  演算部
２０４  表示制御部
２０５  撮影制御部
２０６  変更量算出部
２０７  指定点検出部
２０８  画像表示制御部
２０９  指標表示制御部
２１０  画像情報記憶領域
２１１  撮影部位記憶領域
２１２  変更量記憶領域
３０１  画面
３０２  画像表示領域
３０３  操作領域
３０４  マウスカーソル
３０５  指標
【図１Ａ】
2018019875.tif 000003
【図１Ｂ】
2018019875.tif 000004
【図２】
2018019875.tif 000005
【図３】
2018019875.tif 000006
【図４】
2018019875.tif 000007
【図５】
2018019875.tif 000008
【図６】
2018019875.tif 000009